(57)【特許請求の範囲】
【請求項１】
かご室と、このかご室を支持するとともに建屋に形成される昇降路に設けたガイドレールに沿って移動するかご枠とを備えて成るエレベータのかごにおいて、
前記かご枠の荷重支持点に、荷重付加方向に沿って塑性加工により形成される張出し部を設けたことを特徴とするエレベータのかご。
【請求項２】
前記かご室と前記かご枠との間に防振部材を介設したエレベータかごにあって、前記かご枠の前記防振部材との締結位置に、前記張出し部を設けたことを特徴とする請求項１記載のエレベータのかご。
【請求項３】
かご室と、このかご室を支持するとともに建屋に形成される昇降路に設けたガイドレールに沿って移動するかご枠と、前記かご枠の下方に取付けられるプーリ支持台と、このプーリ支持台に軸支され、かつロープが巻き掛けられるプーリとを備え、前記ロープの駆動に応じて前記かご室および前記かご枠を昇降するせり上げ式のエレベータのかごにおいて、
前記プーリ支持台に、荷重付加方向に沿って塑性加工により形成される張出し部を設けたことを特徴とするエレベータのかご。
【発明の詳細な説明】
【技術分野】
【０００１】
本発明は、エレベータのかごに係り、特に、かご枠等に必要とされる強度を確保するのに好適なエレベータのかごに関するものである。
【背景技術】
【０００２】
エレベータのかごは一般に、乗客および物を運搬するかご室と、このかご室を支持するとともに建屋に形成される昇降路に設けたガイドレールに沿って移動するかご枠とから構成されている。そして、かご枠に作用する荷重は一定ではなく、他の部位に比較して大きな荷重がかかる部位が存在する。例えば、かご室の自重および積載重量は防振部材を支持点としてかご枠に伝わるため、かご枠の防振部材との締結位置には強い荷重が加わる。また、かご枠の下方にプーリ支持台を介してプーリが取付けられ、このプーリに巻き掛けられたロープの駆動に応じてかご室およびかご枠を昇降するせり上げ式のエレベータにあっては、かご室の自重および積載重量はロープからの応力となってプーリ支持台に作用する。このため、従来、このような大きな力が加わる部位に補強部材を追加することにより部分的に強度を高めたり、素材自体をより剛性の高いものに変更したりし、必要な強度を確保するようにしていた。
【発明の開示】
【発明が解決しようとする課題】
【０００３】
しかしながら、前者の補強部材の追加するものでは、部品点数の増加に伴いコストの増加やかご組立作業性の悪化が問題となる。また、後者の素材自体を変更するものでは、作用する荷重に対応する点では有効なものであるが、部分的に作用する高荷重のために当該部材全体の素材を変更することを要するものであり、コストの増加および資源の有効活用の観点から問題がある。
【０００４】
本発明は、前述した従来技術における実状からなされたもので、その目的は、部分的に作用する高荷重に効率よく対応することのできるエレベータのかごを提供することにある。
【課題を解決するための手段】
【０００５】
前記目的を達成するために、本発明の請求項１に係る発明は、かご室と、このかご室を支持するとともに建屋に形成される昇降路に設けたガイドレールに沿って移動するかご枠とを備えて成るエレベータのかご構造かごにおいて、前記かご枠の荷重支持点に、荷重付加方向に沿って塑性加工により形成される張出し部を設けたことを特徴としている。
【０００６】
このように構成した本発明の請求項１に係る発明は、かご枠の荷重支持点に塑性加工を施し、荷重付加方向に沿って形成される張出し部を設けることにより、特別な補強部材の追加、かご枠の素材自体の変更等を要することなく、部分的に作用する高荷重に対応することができる。
【０００７】
また、本発明の請求項２に係る発明は、前記かご室と前記かご枠との間に防振部材を介設したエレベータかごにあって、前記かご枠の前記防振部材との締結位置に、前記張出し部を設けたことを特徴としている。
【０００８】
このように構成した本発明の請求項２に係る発明は、かご枠の防振部材との締結位置に張出し部を設けたことにより、構造上、防振部材との締結位置に作用する高荷重に対応することができる。
【０００９】
さらに、本発明の請求項３に係る発明は、かご室と、このかご室を支持するとともに建屋に形成される昇降路に設けたガイドレールに沿って移動するかご枠と、前記かご枠の下方に取付けられるプーリ支持台と、このプーリ支持台に軸支され、かつロープが巻き掛けられるプーリとを備え、前記ロープの駆動に応じて前記かご室および前記かご枠を昇降するせり上げ式のエレベータのかごにおいて、前記プーリ支持台に、荷重付加方向に沿って塑性加工により形成される張出し部を設けたことを特徴としている。
【００１０】
このように構成した本発明の請求項３に係る発明は、プーリ支持台に塑性加工を施し、荷重付加方向に沿って形成される張出し部を設けることにより、特別な補強部材の追加、かご枠の素材自体の変更等を要することなく、ロープからの応力となってプーリ支持台に作用する高荷重に対応することができる。
【発明の効果】
【００１１】
本発明によれば、特定部位、すなわちかご枠の防振部材との締結位置、プーリ支持台等、高荷重の作用する部位に塑性加工を施すという簡易な方法で必要な強度を確保することができ、これによって、装置の低コスト化、軽量化、およびかご組立作業の効率化を図ることができる。
【発明を実施するための最良の形態】
【００１２】
以下、本発明に係るエレベータのかごの実施の形態を図に基づいて説明する。
【００１３】
図１は本発明に係るエレベータのかごの第１の実施形態を示す斜視図、図２は図１のかごの正面概略図、図３は図１のかごの側面概略図、図４は図１のＡ部の拡大図、図５は図１の張出し部の他の形状を示す図４相当図である。
【００１４】
第１の実施形態のエレベータのかごは図２、図３に示すように、乗客および物を運搬するかご室１と、このかご室１を支持するとともに建屋に形成される昇降路に設けた図示しないガイドレールに沿って移動するかご枠２と、かご室１とかご枠２との間に介設される防振部材３とを備えて成っている。また、かご枠２は、防振部材３を介してかご室２の荷重を受ける下かご枠２ａと、この下かご枠２ａに立設される縦かご枠２ｂと、この縦かご枠２ｂの上端から延設されるとともに、ロープ４が接続される上かご枠２ｃとから成っている。さらに、下かご枠２ａは図１に示すように、例えば略コの字の断面形状を有する一対の縦ベース２ａ１と、これらの縦ベース２ａ１間に配設される複数の横ベース２ａ２を備えている。
【００１５】
そして、図１のＡ部および図４に示すように、かご枠の荷重支持点、例えばかご枠２の防振部材３との締結位置に、荷重付加方向に沿って塑性加工により形成される台形の断面形状を有する張出し部５を設けている。
【００１６】
第１の実施形にあっては、かご室１の自重および積載重量は防振部材３を支持点としてかご枠３に伝わるため、かご枠２の防振部材３との締結位置、すなわち図中Ａで示す位置には強い荷重が加わる。そこで前述したようにかご枠２を構成する縦ベース２ａ１の防振部材３の下方となる位置に台形の断面形状を有する張出し部５を設けることにより強度を高め、部分的に作用する高荷重に対応可能としてある。
【００１７】
第１の実施形態によれば、高荷重の作用するかご枠２の特定部位、すなわち防振部材３との締結位置に塑性加工を施すという簡易な方法で必要な強度を確保することができ、これによって、装置の低コスト化、およびかご組立作業の効率化を図ることができる。また、高強度が必要とされる特定部位に張出し部５を設ける一方、荷重の比較的かからない部位に関しては薄板化を図ることにより、強度を確保しつつかご枠２の軽量なものとすることができる。
【００１８】
なお、第１の実施形態では、張出し部５を台形の断面形状を有するものとしたが、本発明はこれに限らず、他の形状、例えば図５に示すように円形の断面形状の張出し部５ａとしても同様の効果が得られることは云うまでもない。
【００１９】
図６は本発明に係るエレベータのかごの第２の実施形態を示す斜視図、図７は図６のプーリ支持台が備えられるかごの正面概略図、図８は図６のプーリ支持台が備えられるかごの側面概略図である。
【００２０】
第２の実施形態に示すエレベータのかごは図７、図８に示すように、乗客および物を運搬するかご室１１と、このかご室１１を支持するとともに建屋に形成される昇降路に設けた図示しないガイドレールに沿って移動するかご枠１２と、かご室１１とかご枠１２との間に介設される防振部材１３と、かご枠の下方に取付けられるプーリ支持台１６と、このプーリ支持台１６に軸支されるとともにロープ１４が巻き掛けられるプーリ１７とを備えている。また、かご枠１２は、防振部材１３を介してかご室１２の荷重を受ける下かご枠１２ａと、この下かご枠１２ａに立設される縦かご枠１２ｂと、この縦かご枠１２ｂの上端から延設されるとともに、ロープ４が接続される上かご枠１２ｃとから成っている。さらに、プーリ支持台１６には、図示しないプーリ軸が挿通される軸受け１６ａが設けられている。このエレベータは、ロープ１４の駆動に応じてかご室１１およびかご枠１２が昇降する、いわゆるせり上げ式エレベータである。
【００２１】
そして、プーリ支持台１６に、図６に示すように荷重付加方向に沿って塑性加工により形成される張出し部１５を設けている。
【００２２】
第２の実施形にあっては、かご室１１の自重および積載重量はロープ１４からの応力となってプーリ支持台１６に作用する。そこで前述したようにプーリ支持台１６に台形の断面形状を有する張出し部１５を設けることにより強度を高め、部分的に作用する高荷重に対応可能としてある。
【００２３】
第２の実施形態によれば、高荷重の作用する特定部位、すなわちプーリ支持台１６に塑性加工を施すという簡易な方法で必要な強度を確保することができ、これによって、装置の低コスト化、およびかご組立作業の効率化を図ることができる。
【００２４】
なお、前述した実施形態１と同様、プーリ支持台１６に形成される張出し部１５の形状は台形の断面形状を有するものに限らず、他の形状であってもよいことは云うまでもない。
【図面の簡単な説明】
【００２５】
【図１】本発明に係るエレベータのかごの第１の実施形態を示す斜視図である。
【図２】図１のかごの正面概略図である。
【図３】図１のかごの側面概略図である。
【図４】図１のＡ部の拡大図である。
【図５】図１の張出し部の他の形状を示す図４相当図である。
【図６】本発明に係るエレベータのかごの第２の実施形態を示す斜視図である。
【図７】図６のプーリ支持台が備えられるかごの正面概略図である。
【図８】図６のプーリ支持台が備えられるかごの側面概略図である。
【符号の説明】
【００２６】
１、１１      かご室
２、１２      かご枠
２ａ、１２ａ  下かご枠
２ｂ、１２ｂ  縦かご枠
２ｃ、１２ｃ  上かご枠
２ａ１        縦ベース
２ａ２        横ベース
３、１３      防振部材
４、１４      ロープ
５、１５      張出し部
【図１】
0004759439.tif 000002
【図２】
0004759439.tif 000003
【図３】
0004759439.tif 000004
【図４】
0004759439.tif 000005
【図５】
0004759439.tif 000006
【図６】
0004759439.tif 000007
【図７】
0004759439.tif 000008
【図８】
0004759439.tif 000009